(57)【要約】      （修正有）【課題】釣用のジグ、ジグヘッドまたはシンカーに用いる釣用おもりの材料として、従来多用してきた鉛や鉄等を使用せず、人体や環境に悪影響を及ぼすことが少なく、耐食性にも優れ、また低融点であって加工性にも優れる釣用おもりを提供する。【解決手段】釣用のジグヘッド１Ａ、ジグまたはシンカーに用いる釣用おもりの重量部２が、亜鉛を含む金属または亜鉛合金を含む金属から形成されていることを特徴とする。【選択図】図１
0003143626.tif 000002
【実用新案登録請求の範囲】
【請求項１】
釣用のジグ、ジグヘッドまたはシンカーに用いる釣用おもりの重量部が、亜鉛を含む金属または亜鉛合金を含む金属から形成されていることを特徴とする釣用おもり。
【請求項２】
釣用のジグヘッドは、一端に釣り針を形成すると共に、他端に連結部を形成してなる金属線材に釣用おもりの重量部を形成し、この重量部が亜鉛を含む金属または亜鉛合金を含む金属から形成されていることを特徴とする請求項１記載の釣用おもり。
【請求項３】
釣用のジグは、擬似魚形の釣用おもりの重量部とし、前後端に連結部を固定してなる重量部が、亜鉛を含む金属または亜鉛合金を含む金属から形成されていることを特徴とする請求項１記載の釣用おもり。
【請求項４】
釣用のシンカーは、釣用おもりの重量部の中心に道糸を挿通するための貫通孔が形成されてなり、この重量部が亜鉛を含む金属または亜鉛合金を含む金属から形成されていることを特徴とする請求項１記載の釣用おもり。
【考案の詳細な説明】
【技術分野】
【０００１】
本考案は、従来の釣用のジグ、ジグヘッドまたはシンカーに用いる釣用おもりの重量部が環境に優しく、錆び難いものとした釣用おもりに関する。
【背景技術】
【０００２】
従来の釣用のジグ、ジグヘッドまたはシンカーは、釣用おもりとして用いる重量部を備え、この重量部によって、道糸に仕掛けた針や餌を遠方または所望の箇所に投擲し、水中へ沈める等の役割を果すことができる。
【０００３】
これらの釣用おもりに用いる重量部のうち、「ジグ」は、魚釣りに用いる疑似餌（ルアー）を称するものであり、様々な種類があるため、単に「ジグ」と称することが多い。また、「ジグヘッド」とは、針とおもりが一体化したものであり、おもりの部分が「ヘッド」と呼ばれ、様々な形状のものがある。また、「シンカー」とは、おもり本体の中心に貫通孔を設け、この貫通孔に道糸を通すようにしたものである。
【０００４】
釣用のジグに関する従来技術としては、特許文献１に記載されているものがある。この文献のジグは、細長い偏平形状のジグ本体と、このジグ本体の偏平な表裏両面にそれぞれ張り付けた２枚の外装体とで構成され、ジグ本体は鉛で形成されているため、ジグ本体をアルミケース内に充填した構成とすることにより、人体や自然環境に悪影響を与えないものとしている。
【０００５】
また、釣用のジグヘッドに関する従来技術としては、特許文献２に記載されているものがある。この文献のジグヘッドは、釣り針の根元部分にあるオモリ部分全体を極めて実物に近い擬似魚形で覆ったものであり、オモリ部分を鉛等によって形成している。
【０００６】
上記のように、従来の釣用のジグやジグヘッド等の釣用おもりは、比較的軟らかく、加工しやすい金属材料として鉛を多用してきたのであるが、鉛の成分が人体に悪影響を及ぼすという問題があり、このような環境問題の面から、鉛の使用が問題視されるようになっている。また、釣用おもりの材料として鉄を使用した場合、錆び易いため、耐食性に問題があり、また融点が高いため、加工性にも問題が生じる。
【０００７】
なお、釣用のシンカーに関する従来技術として、特許文献３に記載されているものがある。この文献のシンカーは、従来の塊状のシンカーが、溶融鉛を型へ流し込む手法で製造され、鉛金属を溶融させるための前処理工程を必要とし、また、残存した溶融鉛を廃液する等の後処理工程も必要であり、溶融鉛を取り扱う上で公害問題の原因となるおそれがある。このため、この文献の技術は、溶融鉛を型へ流し込む手法を用いることなく、塊状のシンカーを形成するようにしている。
【特許文献１】特開２００１−２１１７８４号公報
【特許文献２】特開平５−２２７８６２号公報
【特許文献３】特開平１１−２６２３４５号公報
【考案の開示】
【考案が解決しようとする課題】
【０００８】
本考案は、上記の事情に鑑みてなされたもので、釣用のジグ、ジグヘッドまたはシンカーに用いる釣用おもりの材料として、従来多用してきた鉛や鉄等を使用せず、人体や環境に悪影響を及ぼすことが少なく、耐食性にも優れ、また低融点であって加工性にも優れる釣用おもりを提供することを目的とする。
【課題を解決するための手段】
【０００９】
上記の問題を解決するために、本考案における請求項１の釣用おもりは、釣用のジグ、ジグヘッドまたはシンカーに用いる釣用おもりの重量部が、亜鉛を含む金属または亜鉛合金を含む金属から形成されていることを特徴とする。
【００１０】
また、本発明の請求項２の釣用おもりは、請求項１において、釣用のジグヘッドは、一端に釣り針を形成すると共に、他端に連結部を形成してなる金属線材に釣用おもりの重量部を形成し、この重量部が亜鉛を含む金属または亜鉛合金を含む金属から形成されていることを特徴とする。
【００１１】
また、本発明の請求項３の釣用おもりは、請求項１において、釣用のジグは、擬似魚形の釣用おもりの重量部とし、前後端に連結部を固定してなる重量部が、亜鉛を含む金属または亜鉛合金を含む金属から形成されていることを特徴とする。
【００１２】
さらに、本発明の請求項４の釣用おもりは、請求項１において、釣用のシンカーは、釣用おもりの重量部の中心に道糸を挿通するための貫通孔が形成されてなり、この重量部が亜鉛を含む金属または亜鉛合金を含む金属から形成されていることを特徴とする。
【考案の効果】
【００１３】
本考案の釣用おもりによれば、釣用のジグ、ジグヘッドまたはシンカーに用いる釣用おもりの重量部が、亜鉛を含む金属または亜鉛合金を含む金属を使用しているため、人体に悪影響を及ぼすことがなく、環境にも好適する釣用おもりとして使用することが可能となる。
【００１４】
また、本考案の釣用おもりの重量部に使用した亜鉛を含む金属または亜鉛合金は、錆び難いため、耐食性の点でも良好な釣用おもりとして使用することが可能となる。
【００１５】
さらには、低融点である亜鉛の金属特性により加工が容易であり、様々な形状のジグ、ジグヘッドまたはシンカーに用いる釣用おもりの重量部を容易に形成することが可能となる。
【考案を実施するための最良の形態】
【００１６】
以下、本考案の実施例について図面を参照しながら説明する。
【実施例１】
【００１７】
本考案による釣用おもり１は、釣用のジグヘッド１Ａ、ジグ１Ｂまたはシンカー１Ｃに用いる釣用おもりの重量部２が亜鉛を含む金属または亜鉛合金を含む金属から形成されてなるものである。そのような釣用おもりの重量部２の製造方法としては、亜鉛を含む金属または亜鉛合金の例として、亜鉛−錫合金、亜鉛−ニッケル合金、亜鉛−鉄合金等を使用し、鋳物またはダイキャスト等の鋳造方法、或いは射出成型等を用い、図１、２、３に示す釣用のジグヘッド１Ａ、ジグ１Ｂまたはシンカー１Ｃ等の釣用おもりの重量部２を形成することができる。
【００１８】
なお、上記の亜鉛−錫合金は、二次加工性の高い特徴をもった合金で、塩分に対する耐食性に優れ、塗装密着性、延展性などの後加工性にも優れている。また、亜鉛−ニッケル金は、高耐食性を有し、加熱処理後および二次加工後の耐食性にも優れている。また、亜鉛−鉄合金めっきは、高耐食性を有し、安価であるという利点を有する。
【００１９】
また、本実施例において、図１に示す釣用のジグヘッド１Ａは、一端に釣り針３を形成すると共に、他端に輪状の連結部４を形成してなる金属線材５における連結部４の近傍に球状の重量部２を形成し、この重量部２が亜鉛を含む金属または亜鉛合金を含む金属から形成された構成を有する。
【００２０】
また、本実施例において、図２に示す釣用のジグ１Ｂは、擬似餌として集魚効果を有する形状に形成された擬似魚形６を重量部２として、この重量部２の前後端に金属連結部７ａ、７ｂを固定してなるものであり、この重量部２が亜鉛を含む金属または亜鉛合金を含む金属から形成されている。
【００２１】
また、本実施例において、図３に示す釣用のシンカー１Ｃは、釣用おもりの重量部２の中心に貫通孔８が形成され、貫通孔８に道糸９を挿通し、この道糸９の両側にヨリモドシ１０ａ、１０ｂを連結してなり、または片側に釣針を結ぶことからなり、この重量部２が亜鉛を含む金属または亜鉛合金を含む金属から形成されている。
【００２２】
上記のように、本実施例の釣用おもり１は、釣用おもりの重量部２が亜鉛を含む金属または亜鉛合金で形成され、亜鉛の融点は４１９．５８℃であり、鉄（融点１５３６℃）等に比較して低融点であるため、加工が容易であり、様々な形状の釣用おもりを容易に形成することが可能となる。
【００２３】
また、本考案の釣用おもりは、釣用のジグヘッド１Ａ、ジグ１Ｂまたはシンカー１Ｃに用いる重量部２に亜鉛を含む金属または亜鉛合金を使用しているため、人体に悪影響を及ぼすことがなく、環境にも好適する釣用おもりとして使用することが可能となる。
【００２４】
また、本考案の釣用おもりの重量部２に使用した亜鉛を含む金属または亜鉛合金は、錆び難いため、耐食性の点でも良好な釣用おもりとして使用することが可能となる。
【産業上の利用可能性】
【００２５】
本考案の釣用おもりは、釣用のジグ、ジグヘッドまたはシンカーに用いる釣用おもりの材料として、従来多用してきた鉛や鉄等を使用せず、人体や環境に悪影響を及ぼすことが少なく、耐食性にも優れ、また低融点であって加工性にも優れる釣用おもりとして利用することが可能である。
【図面の簡単な説明】
【００２６】
【図１】本考案の釣用おもりの実施例である釣用のジグヘッドに関する外観図である。
【図２】本考案の釣用おもりの他の実施例である釣用のジグに関する外観図である。
【図３】本考案の釣用おもりの他の実施例である釣用のシンカーに関する断面図である。
【符号の説明】
【００２７】
１  釣用おもり
１Ａ  ジグヘッド
１Ｂ  ジグ
１Ｃ  シンカー
２  重量部
３  釣り針
４  連結部
５  金属線材
６  擬似魚形
７ａ、７ｂ  金属連結部
８  貫通孔
９  道糸
１０ａ、１０ｂ  ヨリモドシ
【図１】
0003143626.tif 000003
【図２】
0003143626.tif 000004
【図３】
0003143626.tif 000005